(57)【要約】【課題】光ディスク装置において、無駄にＩＤＴＺを消費することなく光ピックアップのフォーカスバランスとチルトの調整を行なう。【解決手段】光ディスク装置は、光ピックアップと、レーザ駆動部と、光ピックアップのフォーカスバランスとチルトの調整を行なうフォーカス／チルト制御部と、各部を制御する制御部とを備え、制御部は、ユーザデータ領域にデータが記録されておらず、ＩＤＣＺにＲＦ信号のモデュレーション値が一定であり、かつ、一定の長さ以上のデータが記録されているときには、該データによって調整を行うＩＤＣＺ調整手段と、ＩＤＣＺにそのようなデータがないときには、ＩＤＴＺにデータを書き込み、該データによって、調整を行うＩＤＴＺ調整手段を備える。ユーザデータ領域にデータが記録されていなくても、ＩＤＣＺのデータを用いることにより、無駄にＩＤＴＺを消費することなくフォーカスバランスやチルトの調整を行なうことができる。【選択図】図３
2008108371.tif 000002
【特許請求の範囲】
【請求項１】
ＤＶＤ＋Ｒ用の光ディスクに対してレーザ光を照射してデータの記録／再生を行う光ピックアップと、前記光ピックアップを駆動するレーザ変調信号を出力するレーザ駆動部と、前記光ピックアップのフォーカスバランスとチルトの調整を行なうフォーカス／チルト制御部と、プログラムを格納したメモリ部と、前記メモリ部のプログラムに基いて上記各部を制御する制御部と、を備えた光ディスク装置において、
前記制御部は、
光ディスクが装填されると、前記レーザ駆動部により前記光ピックアップを駆動して光ディスクのデータを読み取り、この読み取りデータに基づいてユーザデータ領域にデータが記録されているか否かを判断し、データが記録されているときには、該データによって前記光ピックアップのフォーカスバランスとチルトの調整を行うユーザデータ調整手段と、
前記ユーザデータ領域にデータが記録されていないときには、前記読み取りデータに基づいてＩＤＣＺ（ＩＮＮＥＲ  ＤＩＳＣ  ＣＯＵＮＴ  ＺＯＮＥ）に、ＲＦ信号のモデュレーション値が一定であり、かつ、一定の長さ以上のデータ（以下、ＩＤＣＺ調整可能データという）が記録されているか否かを判断し、ＩＤＣＺ調整可能データが記録されているときには、該ＩＤＣＺ調整可能データによって、前記光ピックアップのフォーカスバランスとチルトの調整を行うＩＤＣＺ調整手段と、
前記ＩＤＣＺに、ＩＤＣＺ調整可能データが記録されていないときには、ＩＤＴＺ（ＩＮＮＥＲ  ＤＩＳＣ  ＴＥＳＴ  ＺＯＮＥ）に一定パワーによって調整用のデータを書き込むと共に、ＩＤＣＺにＩＤＴＺの使用状況のデータを書き込み、ＩＤＴＺに書き込んだデータによって、前記光ピックアップのフォーカスバランスとチルトの調整を行うＩＤＴＺ調整手段と、を備え、
前記ユーザデータ領域にデータが記録されていなくても、ＩＤＣＺにＩＤＣＺ調整可能データがあるときには、該ＩＤＣＺ調整可能データを用いることにより、ＩＤＴＺにデータを書き込むことなく、フォーカスバランスとチルトの調整を行うようにしたことを特徴とする光ディスク装置。
【請求項２】
光ディスクに対してレーザ光を照射してデータの記録／再生を行う光ピックアップと、前記光ピックアップを駆動するレーザ変調信号を出力するレーザ駆動部と、前記光ピックアップのフォーカスバランスとチルトの調整を行なうフォーカス／チルト制御部と、プログラムを格納したメモリ部と、前記メモリ部のプログラムに基いて上記各部を制御する制御部と、を備えた光ディスク装置において、
前記制御部は、
前記レーザ駆動部により前記光ピックアップを駆動して光ディスクのデータを読み取り、この読み取りデータに基づいてユーザデータ領域にデータが記録されているか否かを判断し、データが記録されているときには、該データによって前記光ピックアップのフォーカスバランスとチルトの調整を行うユーザデータ調整手段と、
前記ユーザデータ領域にデータが記録されていないときには、前記読み取りデータに基づいてＩＤＣＺ（ＩＮＮＥＲ  ＤＩＳＣ  ＣＯＵＮＴ  ＺＯＮＥ）に、データが記録されているか否かを判断し、データが記録されているときには、該データによって、前記光ピックアップのフォーカスバランスとチルトの調整を行うＩＤＣＺ調整手段と、
前記ＩＤＣＺに、データが記録されていないときには、ＩＤＴＺ（ＩＮＮＥＲ  ＤＩＳＣ  ＴＥＳＴ  ＺＯＮＥ）に一定パワーによって調整用のデータを書き込むと共に、ＩＤＣＺにＩＤＴＺの使用状況のデータを書き込み、ＩＤＴＺに書き込んだデータによって、前記光ピックアップのフォーカスバランスとチルトの調整を行うＩＤＴＺ調整手段と、を備え、
前記ユーザデータ領域にデータが記録されていなくても、ＩＤＣＺにデータがあるときには、該データを用いることにより、ＩＤＴＺにデータを書き込むことなく、フォーカスバランスとチルトの調整を行うようにしたことを特徴とする光ディスク装置。
【請求項３】
前記ＩＤＣＺに有るデータのＲＦ信号の振幅が一定であり、かつ、該データが一定の長さ以上であることを特徴とする請求項２に記載の光ディスク装置。
【発明の詳細な説明】
【技術分野】
【０００１】
本発明は、光ディスク装置に関し、特に、フォーカスバランスとチルトの調整に関する。
【背景技術】
【０００２】
ＤＶＤ＋Ｒ用の光ディスクにレーザ光を照射してデータの記録／再生を行う光ディスク装置においては、データを記録するときのレーザ光の最適なパワーを決めるために、レーザ光のパワーを数段階に変化させて光ディスクのＩＮＮＥＲ  ＤＩＳＣ  ＴＥＳＴ  ＺＯＮＥ（以下、ＩＤＴＺという）に試し書きを行い、その部分を再生して評価を行うＯＰＴＩＭＵＭ  ＰＯＷＥＲ  ＣＯＮＴＲＯＬ（以下、ＯＰＣ処理という）を行なっている。しかし、ＩＤＴＺの大きさは決まっており、また、一度書き込んだ箇所に上書きすることはできないので、無駄に試し書きを行なうと、ＩＤＴＺの記録可能部分が無くなり、レーザ光のパワー調整ができなくなる。また、レーザ光のパワー調整は、光ピックアップのフォーカスバランスやチルトの影響を受けることから、レーザ光のパワー調整の前に、書き込まれている音声データや映像データを使用して、光ピックアップのフォーカスバランスやチルトの調整を行なうが、音声データや映像データが未記録の光ディスクにおいては、ＩＤＴＺに一定パワーで試し書きを行ない、その部分を使用して調整を行うのでＩＤＴＺの記録可能部分が減少する。
【０００３】
また、ＯＰＣ処理において、変化させる全てのパワー条件によって書き込みを終えてから、書き込み部分の再生して評価を行い、レーザ光の最適なパワーを求めるのでなく、パワー条件を変えて書き込みをする度に書き込み部分の再生をして評価を行ない、パワー条件を決めることにより、ＩＤＴＺの消費を減少させる光ディスク装置が知られている（例えば、特許文献１参照）。
【０００４】
しかしながら、上記特許文献１に示されるような光ディスク装置においても、光ピックアップのフォーカスバランスとチルトの調整によって、ＩＤＴＺが消費され、記録可能部分が減少する。
【特許文献１】特開２００３−２１７１２４号公報
【発明の開示】
【発明が解決しようとする課題】
【０００５】
本発明は、上記従来の問題を解決するためになされたものであり、無駄にＩＤＴＺを消費することなく、光ピックアップのフォーカスバランスとチルトの調整を行なうことができる光ディスク装置を提供することを目的とする。
【課題を解決するための手段】
【０００６】
上記目的を達成するために請求項１の発明は、ＤＶＤ＋Ｒ用の光ディスクに対してレーザ光を照射してデータの記録／再生を行う光ピックアップと、前記光ピックアップを駆動するレーザ変調信号を出力するレーザ駆動部と、前記光ピックアップのフォーカスバランスとチルトの調整を行なうフォーカス／チルト制御部と、プログラムを格納したメモリ部と、前記メモリ部のプログラムに基いて上記各部を制御する制御部と、を備えた光ディスク装置において、前記制御部は、光ディスクが装填されると、前記レーザ駆動部により前記光ピックアップを駆動して光ディスクのデータを読み取り、この読み取りデータに基づいてユーザデータ領域にデータが記録されているか否かを判断し、データが記録されているときには、該データによって前記光ピックアップのフォーカスバランスとチルトの調整を行うユーザデータ調整手段と、前記ユーザデータ領域にデータが記録されていないときには、前記読み取りデータに基づいてＩＤＣＺ（ＩＮＮＥＲ  ＤＩＳＣ  ＣＯＵＮＴ  ＺＯＮＥ）に、ＲＦ信号のモデュレーション値が一定であり、かつ、一定の長さ以上のデータ（以下、ＩＤＣＺ調整可能データという）が記録されているか否かを判断し、ＩＤＣＺ調整可能データが記録されているときには、該ＩＤＣＺ調整可能データによって、前記光ピックアップのフォーカスバランスとチルトの調整を行うＩＤＣＺ調整手段と、前記ＩＤＣＺに、ＩＤＣＺ調整可能データが記録されていないときには、ＩＤＴＺ（ＩＮＮＥＲ  ＤＩＳＣ  ＴＥＳＴ  ＺＯＮＥ）に一定パワーによって調整用のデータを書き込むと共に、ＩＤＣＺにＩＤＴＺの使用状況のデータを書き込み、ＩＤＴＺに書き込んだデータによって、前記光ピックアップのフォーカスバランスとチルトの調整を行うＩＤＴＺ調整手段と、を備え、前記ユーザデータ領域にデータが記録されていなくても、ＩＤＣＺにＩＤＣＺ調整可能データがあるときには、該ＩＤＣＺ調整可能データを用いることにより、ＩＤＴＺにデータを書き込むことなく、フォーカスバランスとチルトの調整を行うようにしたものである。
【０００７】
請求項２の発明は、光ディスクに対してレーザ光を照射してデータの記録／再生を行う光ピックアップと、前記光ピックアップを駆動するレーザ変調信号を出力するレーザ駆動部と、前記光ピックアップのフォーカスバランスとチルトの調整を行なうフォーカス／チルト制御部と、プログラムを格納したメモリ部と、前記メモリ部のプログラムに基いて上記各部を制御する制御部と、を備えた光ディスク装置において、前記制御部は、前記レーザ駆動部により前記光ピックアップを駆動して光ディスクのデータを読み取り、この読み取りデータに基づいてユーザデータ領域にデータが記録されているか否かを判断し、データが記録されているときには、該データによって前記光ピックアップのフォーカスバランスとチルトの調整を行うユーザデータ調整手段と、前記ユーザデータ領域にデータが記録されていないときには、前記読み取りデータに基づいてＩＤＣＺ（ＩＮＮＥＲ  ＤＩＳＣ  ＣＯＵＮＴ  ＺＯＮＥ）に、データが記録されているか否かを判断し、データが記録されているときには、該データによって、前記光ピックアップのフォーカスバランスとチルトの調整を行うＩＤＣＺ調整手段と、前記ＩＤＣＺに、データが記録されていないときには、ＩＤＴＺ（ＩＮＮＥＲ  ＤＩＳＣ  ＴＥＳＴ  ＺＯＮＥ）に一定パワーによって調整用のデータを書き込むと共に、ＩＤＣＺにＩＤＴＺの使用状況のデータを書き込み、ＩＤＴＺに書き込んだデータによって、前記光ピックアップのフォーカスバランスとチルトの調整を行うＩＤＴＺ調整手段と、を備え、前記ユーザデータ領域にデータが記録されていなくても、ＩＤＣＺにデータがあるときには、該データを用いることにより、ＩＤＴＺにデータを書き込むことなく、フォーカスバランスとチルトの調整を行うようにしたものである。
【０００８】
請求項３の発明は、請求項２に記載の光ディスク装置において、前記ＩＤＣＺに有るデータのＲＦ信号の振幅が一定であり、かつ、該データが一定の長さ以上のものである。
【発明の効果】
【０００９】
請求項１の発明によれば、制御部は、ユーザデータ領域が未記録のときに、常にＩＤＴＺに試し書きを行なって、フォーカスバランスとチルトの調整を行なうのではなく、ＩＤＣＺのデータのＲＦ信号のモデュレーション値が一定で、かつ、該データが一定の長さ以上であるときには、そのデータを用いてフォーカスバランスとチルトの調整を行なうようにしているもので、無駄にＩＤＴＺを消費することなく、フォーカスバランスとチルトの調整を行なうことができる。また、ＩＤＣＺのデータのＲＦ信号のモデュレーション値が一定であり、かつ、一定の長さ以上のデータに限定しているので、データに合ったフォーカスバランスとチルトの調整を容易に行なうことができる。
【００１０】
また、光ディスクが光ディスク装置に装填されたときに、仮に、フォーカスバランスとチルトの調整を行なわずに、記録の操作が行なわれてからフォーカスバランスとチルトの調整を行なう場合には、調整が完了するまで記録を待たせるか、又は、調整を行なっている間の記録データを記憶する大きなメモリが必要となる。それに対して、本発明によれば、光ディスクが装填されたときに、フォーカスバランスとチルトの調整を行なってしまうので、直ぐに記録を行なうことができ、大きなメモリを必要とせず、コストダウンを図ることができる。
【００１１】
請求項２の発明によれば、制御部は、ユーザデータ領域が未記録のときに、常にＩＤＴＺに試し書きを行なって、フォーカスバランスとチルトの調整を行なうのではなく、ＩＤＣＺにデータがあるときには、そのデータを用いてフォーカスバランスとチルトの調整を行なうようにしているので、無駄にＩＤＴＺを消費することなく、フォーカスバランスとチルトの調整を行なうことができる。
【００１２】
また、請求項３の発明によれば、ＩＤＣＺのデータのＲＦ信号の振幅が一定であり、かつ、該データが一定の長さ以上にデータを限定しているので、データに合ったフォーカスバランスとチルトの調整を容易に行なうことができる。
【発明を実施するための最良の形態】
【００１３】
本発明の実施形態に係る光ディスク装置について図１を参照して説明する。図１は、光ディスク装置の構成を示す。光ディスク装置１は、ターンテーブルに装填された光ディスク２を回転させるスピンドルモータ３と、光ディスク２に対してレーザ光を照射してデータの記録／再生を行う光ピックアップ４と、光ピックアップ４を駆動するため、レーザ変調信号を光ピックアップ４に対して送信するレーザ駆動部５と、光ピックアップ４を光ディスク２の径方向に移動させるスレッドモータ６と、光ピックアップ４のフォーカスバランスとチルトの調整を行なうフォーカス／チルト制御部７と、上記各部を制御する制御部１１とを備える。また、制御部１１には、プログラムやデータを記憶するメモリ部８と、映像や音声等のデータが入力される信号入力部９と、光ディスク２の再生データを出力する信号出力部１０と、ユーザが制御部１１へ指示を行なうために操作する操作部１２とが接続されている。このように構成された光ディスク装置１は、例えば、ＤＶＤレコーダ又はパソコンに搭載されるＤＶＤドライブである。
【００１４】
光ピックアップ４は、光ディスク２に対してレーザ光を出射する半導体レーザダイオード（不図示）と、該レーザ光の光ディスク２での反射光を受光して電気信号を生成する受光素子（不図示）とを備える。この半導体レーザダイオードが光ディスク２に対して高パワーのレーザ光を照射することにより、データが記録される。また、受光素子が、光ディスク２での反射光に基いて生成した電気信号すなわち再生信号を制御部１１に送出することにより、光ディスク２のデータが再生される。
【００１５】
次に、ＤＶＤ＋Ｒ用の光ディスクについて図２を参照して説明する。図２は、光ディスク内の領域の区分を示す。光ディスク２は、ユーザデータ領域２１やリードイン領域２２やインナードライブ領域２３等の複数の領域に分けられており、音声データや映像データなどは、ユーザデータ領域２１に記録され、ＯＰＣ処理やフォーカスバランスとチルトの調整の試し書きは、インナードライブ領域２３内のＩＤＴＺ２４において行なわれる。そして、ＩＤＴＺ２４にデータの書き込みが行なわれるときには、同時にＩＤＴＺ２４に書き込まれたデータの４分の１の量のデータがＩＤＣＺ２５に書き込まれ、ＩＤＴＺ２４のデータ量の管理に使用される。ＩＺＣＺ２５への書き込みはＩＤＴＺ２４に書き込まれたデータのレーザ光のパワーに拘わらず、一定のパワーで書き込まれる。
【００１６】
次に、上記のように構成された本実施形態に係る光ディスク装置１の動作について図３を参照して説明する。図３は、光ディスク装置１のフォーカスバランスとチルトの調整のフローを示す。制御部１１は、光ディスク２が装填されると（Ｓ１）、光ディスク２をスピンアップし、レーザ駆動部５を介して光ピックアップ４にレーザ光を光ディスク２に発光させ、反射光を光ピックアップ４にて受光し、光ディスク２のデータを読み取る（Ｓ２）。制御部１１は、光ディスク２から読み取ったデータに基いて、ユーザデータ領域２１に音声データや映像データ等が記録されていると判断したときは（Ｓ３）、そのデータによって、フォーカスバランスとチルトの調整を行なう（Ｓ１１）。ステップＳ１、Ｓ２、Ｓ３、及びＳ１１は、ユーザデータ調整手段を構成する。
【００１７】
続いて、制御部１１は、光ディスク２のユーザデータ領域２１が未記録のときは、光ディスク２から読み取ったデータに基いて、ＩＤＣＺ２５にＲＦ信号のモデュレーション（ＭＯＤＵＬＡＴＩＯＮ）値が一定であり、かつ、一定の長さ、例えば、６ＥＣＣ（Ｅｒｒｏｒ  Ｃｏｒｒｅｃｔｉｏｎ  Ｃｏｄｅ）ブロック以上のデータ（以下、ＩＤＣＺ調整可能データという）が記録されているか否かを判断する（Ｓ４）。ＩＤＣＺ調整可能データが記録されているときは、そのデータによって、フォーカスバランスとチルトの調整を行なう（Ｓ５）。ＩＤＣＺのデータを使用するのは、ＩＤＣＺには一定のパワーのレーザ光によって書き込まれており、フォーカスバランスとチルトの調整に適しているからである。ステップＳ４及びＳ５は、ＩＤＣＺ調整手段を構成する。
【００１８】
続いて、制御部１１は、ＩＤＣＺ調整可能データが記録されていないときは、ＩＤＴＺ２４に、フォーカスバランスとチルトの調整用の書き込みを一定のパワーによって行うと共に、ＩＤＣＺ２５にＩＤＴＺ２４に書き込んだデータの４分の１の量の記録を行なう（Ｓ２１、Ｓ２２）。ＩＤＴＺ２４に書き込んだデータによって、フォーカスバランスとチルトの調整を行なう（Ｓ２３）。ステップＳ２１、Ｓ２２、及びＳ２３は、ＩＤＴＺ調整手段を構成する。
【００１９】
上述のフローにおいて、ユーザデータ領域が未記録で、音声データや映像データ等が記録されていない光ディスク２が始めて光ディスク装置１に装填されると、ＯＰＣ処理やフォーカスバランスやチルトの調整が行なわれておらず、ＩＤＴＺ２４及びＩＤＣＺ２５には、データが無いので、ＩＤＴＺ２４にデータの書き込みを行なって、書き込んだデータに基いてフォーカスバランスとチルトの調整を行なう（Ｓ１、Ｓ２、Ｓ３、Ｓ４、Ｓ２１、Ｓ２２、Ｓ２３）。そして、その光ディスク２に音声データ等の記録を行なわずに光ディスク２を光ディスク装置１から取り出し、再度、光ディスク２を光ディスク装置１に装填すると、前回の装填時に、ＩＤＴＺ２４に書き込みを行なっているので、ＩＤＣＺ２５にもデータが有るが、データの長さが不足し、フォーカスバランスとチルトの調整を行なうことができない。そして、始めて装填されたときと同様に、ＩＤＴＺ２４にデータの書き込みを行なって、書き込んだデータに基いてフォーカスバランスとチルトの調整を行なう。
【００２０】
このように、音声データ等の記録を行なわずに光ディスク２の装填、取り出しを複数回行なわれた光ディスク２が装填されると、ＩＤＣＺ２５に書き込まれたデータが長くなり、ＲＦ信号のモデュレーション値が一定であれば、ＩＤＣＺ２５のデータにより、フォーカスバランスとチルトの調整を行なうことができるようになる（Ｓ１、Ｓ２、Ｓ３、Ｓ４、Ｓ５）。ＩＤＴＺ２４にフォーカスバランスとチルトの調整用のデータの書き込みを行なわなくてもよくなるので、ＩＤＴＺ２４の無駄な消費を無くすことができる。調整を行なうＩＤＣＺ２５のデータをＲＦ信号のモデュレーション値が一定であり、かつ、一定の長さ以上のデータに限定しているので、データに合ったフォーカスバランスとチルトの調整を容易に行なうことができる。
【００２１】
また、フォーカスバランスとチルトの調整には、時間が必要であるので、光ディスク装置１に録音／録画の操作が行なわれてからフォーカスバランスとチルトの調整を行なうと、調整が完了するまで録音／録画を待たせるか、又は、調整を行なっている間の録音／録画データを光ディスク装置１のメモリ８に記憶しなければならず、メモリ８に記憶するには大きなメモリが必要となる。しかし、本実施形態の光ディスク装置１においては、光ディスク２を装填したときに、フォーカスバランスとチルトの調整を行なってしまうので、光ディスク２が装填された後に録音／録画の操作が行なわれても、直ぐに録音／録画が行なうことができ、大きなメモリを必要とせず、コストダウンを図ることができる。
【００２２】
なお、本発明は、上記各種実施形態の構成に限られず、発明の趣旨を変更しない範囲で種々の変形が可能である。ＩＤＣＺ２５のデータのＲＦ信号の振幅が一定であり、かつ、該データが一定の長さ以上であるときに、該データによってフォーカスバランスとチルトの調整を行うようにしてもよい。データに合った調整を容易に行なうことができる。また、光ディスク２は、ＤＶＤ＋Ｒ用に限らず、例えばＤＶＤ＋ＲＷでもよい。また、フォーカスバランスとチルトの調整を、例えば、録音／録画の操作が行なわれたときに行なってもよい。
【図面の簡単な説明】
【００２３】
【図１】本発明の実施形態に係る光ディスク装置の構成図。
【図２】光ディスク内の領域の構成図。
【図３】本発明の実施形態に係る光ディスク装置におけるフォーカスバランスとチルトの調整のフローチャート。
【符号の説明】
【００２４】
１  光ディスク装置
２  光ディスク
４  光ピックアップ
５  レーザ駆動部
７  フォーカス／チルト制御部
８  メモリ部
１１  制御部
２１  ユーザデータ領域
２４  ＩＤＴＺ
２５  ＩＤＣＺ
【図１】
2008108371.tif 000003
【図２】
2008108371.tif 000004
【図３】
2008108371.tif 000005